【手続補正書】
【提出日】平成17年5月9日(2005.5.9)
【手続補正１】
【補正対象書類名】特許請求の範囲
【補正対象項目名】全文
【補正方法】変更
【補正の内容】
【特許請求の範囲】
【請求項１】
塩化ビニルの製造方法であって、（ａ）エタン、エチレンまたはこれらの混合物を含む反応物を、該Ｃ２炭化水素供給物の実質的に全てを転化するために、かつ塩化ビニルおよび塩化水素を含む生成物ストリームを発生するために充分な燃料希薄プロセス条件の下、適当な触媒を含有する反応器内で、酸素源および塩素源と混ぜ合わせる工程、および（ｂ）未反応の塩化水素を工程（ａ）での使用のために戻すようにリサイクルする工程、を含む方法。
【請求項２】
前記酸素が空気として供給される、請求項１に記載の方法。
【請求項３】
前記酸素が該供給物中のＣ２炭化水素の体積濃度の３倍よりも多く存在する、請求項２に記載の方法。
【請求項４】
該供給物中のＣ２炭化水素の約９７モル％よりも多くが転化されて、回収可能なＣ２炭化水素が本質的に存在しないとともに、Ｃ２炭化水素を工程（ａ）に戻すようにリサイクルする必要がない、請求項３に記載の方法。
【請求項５】
前記触媒が、鉄および銅を実質的に含まないことを条件として、及びセリウムが存在する場合には該触媒がセリウムの他に少なくとも１種の希土類元素を更に含むことを更に条件として、１種以上の希土類物質を含む、請求項１に記載の方法。
【請求項６】
希土類物質成分がランタン、ネオジム、プラセオジムおよびこれらの混合物より選択される、請求項５に記載の方法。
【請求項７】
前記塩素源がガスであって、塩化水素、塩素、不安定塩素を含有する塩素化炭化水素、およびこれらの混合物の少なくとも１種を含む、請求項１に記載の方法。
【請求項８】
前記生成物ストリーム中に存在するシス／トランス−１，２−ジクロロエチレンが、水素により水素化されて二塩化エチレン（１，２−ジクロロエタン）を生成する、請求項１に記載の方法。
【請求項９】
二塩化エチレンが、少なくとも部分的に、工程（ａ）の反応器に任意的にリサイクルされる、請求項８に記載の方法。
【請求項１０】
塩化ビニルの製造方法であって、（ａ）エタン、酸素源および塩素源を含む反応物を、塩化ビニルおよび塩化水素を含む生成物ストリームを発生するために充分な条件の下、適当な触媒を含有する反応器内で、混ぜ合わせる工程と、（ｂ）前記塩化水素を第２の反応器内で触媒により反応させて、塩化水素が本質的に欠如した第２反応器排出物を与える工程と、（ｃ）前記第２反応器排出物をリサイクルして、前記混ぜ合わせ工程（ａ）における前記エタン、前記酸素源および前記塩素源と一緒に触媒により反応させる工程、を含む方法。
【請求項１１】
前記反応物が、更にエチレンを含む請求項１０に記載の方法。
【請求項１２】
前記第２反応器排出物がリサイクルされて、前記混ぜ合わせ工程（ａ）における前記エタン、前記エチレン、前記酸素源および前記塩素源と一緒に触媒により反応される請求項１１に記載の方法。
【請求項１３】
工程（ａ）の触媒が、鉄および銅を実質的に含まないことを条件として、及びセリウムが存在する場合には該触媒がセリウムの他に少なくとも１種の希土類元素を更に含むことを更に条件として、１種以上の希土類物質を含む、請求項１０〜１２のいずれかに記載の方法。
【請求項１４】
希土類物質成分がランタン、ネオジム、プラセオジムおよびこれらの混合物より選択される、請求項１３に記載の方法。
【請求項１５】
前記塩素源がガスであって、塩化水素、塩素、不安定塩素を含有する塩素化炭化水素、およびこれらの混合物の少なくとも１種を含む、請求項１０〜１２のいずれかに記載の方法。
【請求項１６】
前記塩化水素が工程（ｂ）において従来のオキシ塩素化プロセスにより触媒により反応されて、塩化エチルおよび／または二塩化エチレンを生成する、請求項１０〜１２のいずれかに記載の方法。
【請求項１７】
前記塩化水素が工程（ｂ）において水性液相オキシ塩素化プロセスにより反応されて、塩化エチルおよび／または二塩化エチレンを生成する、請求項１０〜１２のいずれかに記載の方法。
【請求項１８】
前記塩化エチルおよび／または二塩化エチレンが、少なくとも部分的に、オキシ脱水素・塩素化工程（ａ）にリサイクルされる、請求項１６または請求項１７に記載の方法。
【請求項１９】
工程（ａ）からの前記生成物ストリーム中に存在するシス／トランス−１，２−ジクロロエチレンが、水素により水素化されて二塩化エチレン（１，２−ジクロロエタン）を生成する、請求項１０〜１２のいずれかに記載の方法。
【請求項２０】
前記二塩化エチレンが、少なくとも部分的に、工程（ａ）の反応器に任意的にリサイクルされる請求項１９に記載の方法。
【請求項２１】
前記酸素が空気として供給される、請求項１０〜１２のいずれか記載の方法。
【請求項２２】
該供給物中の前記酸素が該供給物中のＣ２炭化水素（エタン）の体積濃度の３倍よりも多く存在する、請求項２１に記載の方法。
【請求項２３】
前記Ｃ２炭化水素がエチレンをも含む請求項２２に記載の方法。
【請求項２４】
該Ｃ２炭化水素供給物中の約９５モル％よりも多くが工程（ａ）で転化されて、工程（ａ）の前記生成物ストリーム中に回収可能なＣ２炭化水素が本質的に存在しないとともにＣ２炭化水素のリサイクルの必要がない、請求項２１に記載の方法。
【請求項２５】
塩化ビニルの製造方法であって、
エタン、エチレンまたはこれらの混合物（エタンおよびエチレンの両方が存在する場合には前記エタン／前記エチレンのモル比が０．０２／１〜５０／１である）を、該Ｃ２炭化水素供給物の約９５モル％よりも多くを転化するために充分な燃料希薄プロセス条件の下、酸素源、および塩化水素、塩素または飽和クロロハイドロカーボンの少なくとも１種の塩素源と一緒に触媒により反応させることによって、第１反応器排出物ストリームを発生する工程、
前記第１反応器排出物ストリームを冷却および凝縮して、前記塩化水素の第１部分を有する未加工の生成物ストリームと、前記塩化水素の第２部分を有する未加工の冷却された塩化水素ストリームとを与える工程、
前記未加工の生成物ストリームを、塩化ビニルモノマー生成物ストリームと、前記塩化水素の前記第１部分を有する軽量物ストリームとに分離する工程、
前記未加工の冷却された塩化水素ストリームから前記塩化水素の前記第２部分を回収する工程、および
エタン、エチレンまたはこれらの混合物が前記酸素源および前記塩素源と混ぜ合わせられる前記反応器に、前記塩化水素の前記第２部分をリサイクルする工程、
を含む方法。
【請求項２６】
塩化ビニルの製造方法であって、
エタン、酸素源、および塩化水素、塩素または飽和クロロハイドロカーボンの少なくとも１種の塩素源を一緒に触媒により反応させることによって、第１反応器排出物ストリームを発生する工程、
前記第１の反応器排出物ストリームを冷却および凝縮して、前記塩化水素の第１部分を有する未加工の生成物ストリームと、前記塩化水素の第２部分を有する未加工の冷却された塩化水素ストリームとを与える工程、
前記未加工の生成物ストリームを、塩化ビニルモノマー生成物ストリームと、前記塩化水素の前記第１部分を有する軽量物ストリームとに分離する工程、
前記軽量物ストリーム中の塩化水素の前記第１部分の本質的に全てを触媒により反応させて、塩化水素が本質的に欠如した第２反応器排出物を与える工程、および
前記第２反応器排出物をリサイクルして、前記発生工程における前記エタン、前記酸素源および前記塩素源と一緒に触媒により反応させる工程、
を含む方法。
【請求項２７】
エタン、エチレン、酸素源、および塩化水素、塩素または飽和クロロハイドロカーボンの少なくとも１種の塩素源を一緒に触媒により反応させることによって、前記第１反応器排出物ストリームが発生され、且つ、前記エタン／前記エチレンのモル比が０．０２／１〜５０／１である請求項２６に記載の方法。
【請求項２８】
前記第２反応器排出物をリサイクルして、前記発生工程における前記エタン、前記エチレン、前記酸素源および前記塩素源と一緒に触媒により反応させる請求項２７に記載の方法。